(57)【要約】【課題】電子レンジで加熱した際に水蒸気が外部に逃げることはもちろん、回転時に引っ掛からない包装紙箱を提供すること。【解決手段】内部蒸気圧が所定圧力を越えると開口する蒸気逃がし部が背貼り部１に設けられ、調理済み食品が密封充填されてなる包装袋Ｐ1 と、米飯を無菌充填してなる米飯パックとをセットで収納する扁平箱型の包装紙箱であって、水平横倒し状態で見て、側面及び端面は包装袋Ｐ1 と米飯パックとを重ねて入れられる高さがあり、一方の端面がその上下辺に沿って破断可能な切離し開封部になっている。切離し開封部を除去すると、一方の端面がぽっかりと開いた状態になり、包装袋のみを入れた状態では上部に米飯パック分の空間があるので、電子レンジで加熱した際に、包装袋が膨らんでも背貼り部にある蒸気逃がし部が塞がるようなことがない。蒸気逃がし部からスムースに出た水蒸気を開いた端面のところから外部へと逃がすことができる。【選択図】図１
2007246149.tif 000002
【特許請求の範囲】
【請求項１】
内部蒸気圧が所定圧力を越えると開口する蒸気逃がし部が背貼り部に設けられ、調理済み食品が密封充填されてなる包装袋と、米飯を無菌充填してなる米飯パックとをセットで収納する扁平箱型の包装紙箱であって、水平横倒し状態で見て、側面及び端面は包装袋と米飯パックとを重ねて入れられる高さがあり、一方の端面がその上下辺に沿って破断可能な切離し開封部になっていることを特徴とする包装紙箱。
【請求項２】
切離し開封部が、一方の端面に加え、それに隣接する両方の側面の一部にも延びていることを特徴とする請求項１に記載の包装紙箱。
【発明の詳細な説明】
【技術分野】
【０００１】
本発明は、包装袋を収納するための包装紙箱の技術分野に属し、特に、電子レンジで加熱することができるレトルト食品等の調理済み食品を密封充填した包装袋の外装に適用される電子レンジ用の包装紙箱に関するものである。
【背景技術】
【０００２】
従来より、レトルト食品等の調理済み食品を密封充填した包装袋を収納した状態で販売され、その包装袋を収納したままで電子レンジにて加熱することを可能とした包装紙箱が種々提案されている。
【０００３】
このような包装紙箱の一つとして、例えば特許文献１，２に記載のものがある。これらの文献に示される扁平箱形の包装紙箱は、内圧を利用して剥離開口させる弱シール部又は脆弱部を有する背貼り部を蒸気逃がし部として設けた包装袋の外装に用いられる。そして、この包装紙箱に入った包装袋を電子レンジにより加熱するに際しては、紙箱に設けた切離開封部を開いて包装袋の背貼り部を外部に露出させ、そのままターンテーブル上に水平横倒し状態に置いて寝かせたまま加熱するようになっている。この電子レンジでの加熱時において、包装袋は加熱による内部蒸気圧で背貼り部が剥離開口し、そこから圧抜きのための水蒸気を外部に向けて円滑に逃がすことができ、また箱自体は熱くならないので、加熱調理後は電子レンジ内から容易に取り出すことができる。
【特許文献１】特開２００１−３９４７６号公報
【特許文献２】特開２００２−１９７７６号公報
【発明の開示】
【発明が解決しようとする課題】
【０００４】
上記した特許文献１，２に記載の包装紙箱は、調理済み食品を充填した包装袋を収容した状態で販売される。そして、電子レンジでの加熱時には、天壁の部分を開封した後、包装袋を入れたまま、ターンテーブル上で立てることなく寝かせた状態で加熱することができる。特に、特許文献２に記載のものは、開封して立て起こされた天壁の部分が飛散した内容物の楯としての役目を果たすことから、電子レンジからの取出しに際して火傷する恐れが少ないという利点もある。しかしながら、いずれにしても、天壁の部分を開封すると、その天壁の部分だけ全体の長さが大きくなるので、食品の内容量を増量した場合など、箱サイズが少しでも大きくなると、ターンテーブルからはみ出して、回転時に引っ掛かるという問題点があった。
【０００５】
本発明は、このような問題点に鑑みてなされたものであり、その目的とするところは、電子レンジで加熱した際に水蒸気が外部に逃げることはもちろん、回転時に引っ掛からない包装紙箱を提供することにある。
【課題を解決するための手段】
【０００６】
請求項１に記載の発明である包装紙箱は、内部蒸気圧が所定圧力を越えると開口する蒸気逃がし部が背貼り部に設けられ、調理済み食品が密封充填されてなる包装袋と、米飯を無菌充填してなる米飯パックとをセットで収納する扁平箱型の包装紙箱であって、水平横倒し状態で見て、側面及び端面は包装袋と米飯パックとを重ねて入れられる高さがあり、一方の端面がその上下辺に沿って破断可能な切離し開封部になっていることを特徴としている。
【０００７】
請求項２に記載の発明である包装紙箱は、請求項１に記載の包装紙箱において、切離し開封部が、一方の端面に加え、それに隣接する両方の側面の一部にも延びていることを特徴としている。
【発明の効果】
【０００８】
請求項１に記載の発明である包装紙箱は、切離し開封部を除去すると、一方の端面がぽっかりと開いた状態になり、包装袋のみを入れた状態では上部に米飯パック分の空間があるので、電子レンジで加熱した際に、包装袋が膨らんでも背貼り部にある蒸気逃がし部が塞がるようなことがなく、蒸気逃がし部からスムースに出た水蒸気を開いた端面のところから外部へと逃がすことができ、包装体から内容物が吹き出した場合でも、箱の上面が全体を覆っているので、外部に飛び出すのが防止される。そして、切離し開封部を除去しても箱の平面的なサイズは変わらないので、電子レンジのターンテーブルに載せても出っ張るようなことがなく、回転時に引っ掛かるようなこともない。
【０００９】
請求項２に記載の発明である包装紙箱は、切離し開封部を除去すると、一方の端面に加えそれに隣接する両方の側面の一部もぽっかりと開いた状態になるので、包装袋が大きく膨らんで背貼り部が箱の上面に当たったとしても、箱の上面が外側に撓んで逃げ、背貼り部にある蒸気逃がし部が塞がるのが防止される。
【発明を実施するための最良の形態】
【００１０】
次に、本発明の実施の形態について図面を参照しながら詳細に説明する。
【００１１】
図１は本発明に係る包装紙箱の一例を示す斜視図、図２は図１の包装紙箱に収容する内容物を示す斜視図、図３は図１の包装紙箱を形成するブランクの平面図である。
【００１２】
図１の包装紙箱Ａは図３のブランクを組み立てて形成される。このブランクＢは、紙箱用の板紙を打ち抜いて形成したものであり、図示の如く所定の部分に区画されている。
【００１３】
すなわち、図３のブランクＢは、上面パネル１１の左辺に側面パネル１２、下面パネル１３、側面パネル１４がこの順で連設され、右辺には接着パネル１５が連設されており、上面パネル１１の上下辺にはそれぞれ上蓋パネル１６，１７が連設され、下面パネル１３の上下辺にはそれぞれ下蓋パネル１８，１９が連設されており、側面パネル１２の上下辺にはそれぞれ折込みパネル２０，２１が連設され、側面パネル１４の上下辺にはそれぞれ折込みパネル２２，２３が連設された形状になっている。ここで、側面パネル１２，１４は、図２に示す包装袋Ｐ1 と米飯パックＰ2 とを重ねて入れられる高さがあり、折込みパネル２０，２１と折込みパネル２２，２３も同様の高さがある。
【００１４】
そして、上面パネル１１とその下側の上蓋パネル１７との境界は破断線ａになっており、下面パネル１３とその下側の下蓋パネル１９との境界も同様に破断線ｂになっている。図示の如くこれらの破断線ａ，ｂは「く」の字状の連続した切込み線で形成されており、破断線ａと破断線ｂはその向きが反対向きとなるように設けられている。
【００１５】
さらに、側面パネル１２における下辺側には破断線ａ，ｂを接続する破断線ｃが側面パネル１２の一部を囲むようにして設けられている。すなわち、破断線ｃは、「く」の字状の連続した切込み線の部分が、破断線ａの左端と破断線ｂの右端からそれぞれ上面パネル１１との境界と下面パネル１３の境界とにそれぞれ沿って側面パネル１２の両サイドを所定の長さだけ進み、それから通常の切込線の部分が、側面パネル１２を横断しつつ中程に半円状の押込み部１２ａを区画するようにして設けられている。
【００１６】
また、側面パネル１４における下辺側には破断線ｂに連続する破断線ｄが側面パネル１４の一部を囲むようにして設けられている。すなわち、破断線ｄは、「く」の字状の連続した切込み線の部分が、破断線ｂの左端から下面パネル１３の境界に沿って側面パネル１４の右サイドを所定の長さだけ進み、それから通常の切込線の部分が、側面パネル１４を横断するようにして設けられている。また、接着パネル１５における下方側には破断線ａに連続する破断線ｅが接着パネル１５の一部を囲むようにして設けられている。すなわち、破断線ｅは、「く」の字状の連続した切込み線の部分が、破断線ａの右端から上面パネル１１の境界に沿って接着パネル１５の左サイドを所定の長さだけ進み、それから通常の切込線の部分が、接着パネル１５を横断するようにして設けられている。
【００１７】
このブランクＢは、接着パネル１５の表側を側面パネル１４の裏側に貼り合わせたサック貼り状態で折り畳まれる。そして、この折り畳んだブランクＢから紙箱を組み立てるには、まず、折り畳んだブランクＢを起こした後、折込みパネル２１，２３をそれぞれ内側に折り曲げてから、下蓋パネル１９と上蓋パネル１７を順次折り曲げて貼り合わせる。この時、折込みパネル２１，２３を下蓋パネル１９に貼り合わせるようにする。次いで、図２に示す包装袋Ｐ1 と米飯パックＰ2 を重ねた状態で中に入れた後、折込みパネル２０，２２をそれぞれ内側に折り曲げてから、下蓋パネル１８と上蓋パネル１６を順次折り曲げて貼り合わせる。このようにして図１に示す内容物が入った包装紙箱Ａが作製される。
【００１８】
包装袋Ｐ1 は、レトルト食品等の調理済み食品を密封充填したもので、内部蒸気圧が所定圧力を越えると開口する蒸気逃がし部が背貼り部１に設けられたタイプである。一方、米飯パックＰ2 は、プラスチック製のトレー２にフィルム３をシールして蓋をしたもので、中には米飯が無菌充填されている。
【００１９】
包装紙箱Ａは、上蓋パネル１７と下蓋パネル１９とが重なった端面の上下辺にそれぞれ破断線ａ，ｂが形成されたものになっており、しかもそれに隣接する一方の側面パネル１２には端面上下の破断線ａ，ｂに連続する破断線ｃが設けられ、他方の側面パネル１４には端面上下の破断線ａ，ｂに連続する破断線ｅ，ｄが設けられたものになっている。すなわち、上蓋パネル１７と下蓋パネル１９とが重なって形成される端面がその上下辺に沿って破断可能な切離し開封部になっているとともに、その端面に隣接する両方の側面の一部も切離し開封部になっている。
【００２０】
この包装紙箱Ａを電子レンジにかけるに際しては、破断線ｃで区画される半円状の押込み部１２ａの部分を指先で押し込んで破断し、その破断した部分を摘んで切離し開封部を破断線ａ，ｂのところで、さらに破断線ｄ，ｅのところで破断して除去する。このように切離し開封部を除去すると、一つの端面とそれに隣接する両側面の一部がぽっかりと開いた状態になる。そして、図４に示すように、米飯パックＰ2 を取り出し、包装袋Ｐ1 のみを入れた状態とし、回転テーブルに載せて電子レンジにて加熱する。
【００２１】
そして、電子レンジでの加熱時には、包装袋Ｐ1 の蒸気逃がし部１から出る水蒸気を大きく開いた端面側の開口から逃がすことができる。この時、包装袋Ｐ1 の上部に米飯パック分の空間があるので、包装袋Ｐ1 が膨らんでも背貼り部にある蒸気逃がし部１が塞がるようなことがない。また、包装体Ｐ1 から内容物が吹き出した場合でも、上面パネル１１が全体を覆っているので、外部に飛び出すのが防止される。しかも、端面に隣接する両方の側面の一部もぽっかりと開いた状態になるので、包装袋Ｐ1 が大きく膨らんで背貼り部が箱の上面に下から当たったとしても、箱の上面が外側に撓んで逃げ、背貼り部にある蒸気逃がし部１が塞がるようなことがない。
【００２２】
そして、開封により箱のサイズは大きくならないので、ターンテーブルに載せても引っ掛からないようにすることができる。場合によっては、米飯パックＰ2 ととにも回転テーブルに載せて同時に加熱することもできる。
【００２３】
なお、上記の例では、一方の端面に加え、その端面に隣接する両方の一部も切離し開封部としているが、一方の端面だけをその上下辺に沿って破断可能な切離し開封部とした形態も採りえる。この場合、包装袋Ｐ1 の上部に米飯パック分の空間があるので、電子レンジでの加熱時に包装袋Ｐ1 が膨らんでも、背貼り部にある蒸気逃がし部１が塞がるようなことがなく、包装体Ｐ1 から内容物が吹き出した場合でも、上面パネル１１が全体を覆っているので、外部に飛び出すのが防止される。
【００２４】
以上、本発明の実施の形態について詳細に説明してきたが、本発明による包装紙箱は、上記した実施の形態に何ら限定されるものではなく、本発明の趣旨を逸脱しない範囲において種々の変更が可能であることは当然のことである。
【図面の簡単な説明】
【００２５】
【図１】本発明に係る包装紙箱の一例を示す斜視図である。
【図２】図１の包装紙箱に収容する内容物を示す斜視図である。
【図３】図１の包装紙箱を形成するブランクの平面図である。
【図４】図１の包装紙箱を開封して電子レンジにかける状態で示す斜視図である。
【符号の説明】
【００２６】
Ａ  包装紙箱
Ｂ  ブランク
Ｐ1   包装袋
Ｐ2   米飯パック
ａ〜ｃ  破断線
１  背貼り部
２  トレー
３  フィルム
１１  上面パネル
１２  側面パネル
１２ａ  押込み部
１３  下面パネル
１４  側面パネル
１５  接着パネル
１６，１７  上蓋パネル
１８，１９  下蓋パネル
２０〜２３  折込みパネル
【図１】
2007246149.tif 000003
【図２】
2007246149.tif 000004
【図３】
2007246149.tif 000005
【図４】
2007246149.tif 000006